(57)【特許請求の範囲】
【請求項１】
インシュレータと、前記インシュレータに組み付けられたコンタクト及びホールドダウンとを含み、取付対象物に搭載して用いられるコネクタにおいて、前記ホールドダウンは、前記取付対象物に接続する対の端子部と、前記対の端子部間をつなぐ連結部と、相手側コネクタの被ロック部に係合する一対のロック部と、前記ロック部と前記連結部とをつなぐばね性をもつ結合部とを有し、前記連結部は前記インシュレータの側壁を覆うものであり、前記結合部は、相手側コネクタと嵌合した際、相手側コネクタのホールドダウンと接続する接触部であり、前記インシュレータは凹部を有し、前記コンタクトは前記凹部に接点部を有し、前記連結部は前記凹部を規定する壁部の外側にあり、前記ロック部は前記壁部の内側にあり、前記壁部の側壁は、前記結合部を挿入した切欠きと、前記連結部を配置した外側の凹みとを有し、前記連結部が前記壁部を覆って前記側壁の強度を補っていることを特徴とするホールドダウン付きコネクタ。
【請求項２】
相手側コネクタのホールドダウンは、前記ロック部に係合する被ロック部と、前記結合部に接続する接続部とを有し、前記ロック部と前記被ロック部との内少なくとも一方が弾性を有し、前記結合部と前記接続部との内少なくとも一方が弾性を有した請求項１に記載のホールドダウン付きコネクタ。
【発明の詳細な説明】
【０００１】
【発明の属する技術分野】
本発明は、プリント基板のような基板又はＦＰＣ（Ｆｌｅｘｉｂｌｅ  Ｐｒｉｎｔｅｄ  Ｃｉｒｃｕｉｔ）の接続に使用されるコネクタに関し、特に、基板やＦＰＣに固定されるホールドダウンと呼ばれる部品を備えたコネクタに関する。
【０００２】
【従来の技術】
従来、インシュレータに多数の導電性のコンタクトを一列又は複数列に並べて組み付けるとともに、そのインシュレータの両端に金属製のホールドダウンを取り付けたコネクタが知られている。この種のコネクタは、基板やＦＰＣなどの取付対象物にホールドダウンを半田付けなどにより固定することにより、取り付けをしっかりと行うことが可能である。したがって、衝撃を受け易い機器、例えば、携帯機器などに使用してもコネクタが取付対象物から脱落する虞は少なくなる。
【０００３】
ところで、衝撃を受け易い機器の場合には、衝撃によってコネクタ間の接続が離脱することが想定される。この離脱を防止するため、相手側コネクタと接続した状態でロックするロック機能をもたせたコネクタがある。
【０００４】
また、信号の高周波化に伴い電磁波をシールドするシールド機能を備えたコネクタもある。
【０００５】
【発明が解決しようとする課題】
しかしながら、従来のコネクタにあっては、ロック機能及びシールド機能はホールドダウンとは無関係にそれぞれ独立して備えられているため、コネクタの構造がその分だけ複雑になりがちである。
【０００６】
また、機器に加わる衝撃はコネクタ自体に伝わるため、コネクタ、特に、インシュレータに破損の虞がある。したがって、インシュレータを丈夫に作るか、さもなければインシュレータに特別な補強材を付加することが望まれている。
【０００７】
それ故に本発明の課題は、ホールドダウンを利用してロック機能及びシールド機能を備えかつ補強も行ったホールドダウン付きコネクタを提供することにある。
【０００８】
【課題を解決するための手段】
本発明によれば、インシュレータと、前記インシュレータに組み付けられたコンタクト及びホールドダウンとを含み、取付対象物に搭載して用いられるコネクタにおいて、前記ホールドダウンは、前記取付対象物に接続する対の端子部と、前記対の端子部間をつなぐ連結部と、相手側コネクタの被ロック部に係合する一対のロック部と、前記ロック部と前記連結部とをつなぐばね性をもつ結合部とを有し、前記連結部は前記インシュレータの側壁を覆うものであり、前記結合部は、相手側コネクタと嵌合した際、相手側コネクタのホールドダウンと接続する接触部であり、前記インシュレータは凹部を有し、前記コンタクトは前記凹部に接点部を有し、前記連結部は前記凹部を規定する壁部の外側にあり、前記ロック部は前記壁部の内側にあり、前記壁部の側壁は、前記結合部を挿入した切欠きと、前記連結部を配置した外側の凹みとを有し、前記連結部が前記壁部を覆って前記側壁の強度を補っていることを特徴とするホールドダウン付きコネクタが得られる。
【０００９】
相手側コネクタのホールドダウンは、前記ロック部に係合する被ロック部と、前記結合部に接続する接続部とを有し、前記ロック部と前記被ロック部との内少なくとも一方が弾性を有し、前記結合部と前記接続部との内少なくとも一方が弾性を有してもよい。
【００１２】
【発明の実施の形態】
図１を参照して、本発明の実施の形態に係るコネクタであるレセプタクルコネクタ１と、これに接続可能な相手側コネクタであるプラグコネクタ２とについて説明する。
【００１３】
レセプタクルコネクタ１とプラグコネクタ２は、携帯機器やその他の様々な機器などに使用されている基板と基板、又は基板とＦＰＣを接続するために、互いに嵌合接続可能なものである。
【００１４】
レセプタクルコネクタ１は、一面に凹部３を有する成形部材であるレセプタクル側インシュレータ４を含んでいる。レセプタクル側インシュレータ４には左右を一対とする導電性のレセプタクル側コンタクト５が第１の方向（ピッチ方向）Ａ１に複数組配置され組み付け固定されている。レセプタクル側コンタクト５の各々は凹部３に接点部を有している。また、レセプタクル側インシュレータ４の第１の方向Ａ１における端部の一対の壁部にはそれぞれ金属製のレセプタクル側ホールドダウン６が組み付け固定されている。
【００１５】
レセプタクルコネクタ１は基板又はＦＰＣ等からなる一方の取付対象物に搭載され、取付対象物に形成した電気回路にレセプタクル側コンタクト５を半田付けなどにより電気的に接続される。加えて、レセプタクル側ホールドダウン６も、取付対象物に形成した電気回路に電気的及び機械的に接続される。
【００１６】
一方、プラグコネクタ２においては、成形部材であるプラグ側インシュレータ７に左右を一対とする導電性のプラグ側コンタクト８が第１の方向（ピッチ方向）Ａ１に複数組配置して組み付け固定されている。プラグ側インシュレータ７にはさらに、第１の方向Ａ１における両端部にそれぞれ金属製のプラグ側ホールドダウン９が組み付け固定されている。
【００１７】
プラグコネクタ２は基板又はＦＰＣ等からなる他方の取付対象物に搭載され、取付対象物に形成した電気回路にプラグ側コンタクト８を半田付けなどにより電気的に接続される。加えて、プラグ側ホールドダウン９も、取付対象物に形成した電気回路に電気的及び機械的に接続される。なお、プラグ側ホールドダウン９は被ロック部１１と接続部１２とを有している。
【００１８】
こうして異なる取付対象物にそれぞれ実装されたレセプタクルコネクタ１とプラグコネクタ２は、互いに嵌合することにより、両取付対象物の電気回路をレセプタクル側コンタクト５及びプラグ側コンタクト８を介して電気的に接続する。
【００１９】
図１に加えて図２をも参照して、主にレセプタクル側ホールドダウン６について説明する。
【００２０】
レセプタクル側ホールドダウン６は、取付対象物に接続する対の端子部１３と、対の端子部１３間をつなぐ連結部１４と、プラグコネクタ２の被ロック部１１に係合するための対のロック部１５と、ロック部１５と連結部１４とをつなぐばね性をもつ結合部１６とを有している。連結部１４はレセプタクル側インシュレータ４の凹部３を規定する壁部の外側にあって側壁を覆っている。ロック部１５は前記壁部の内側に配置される。また、結合部１６は、凹部３を規定する壁部に形成した切欠き１７に挿入される。なお、レセプタクル側ホールドダウン６はレセプタクル側インシュレータ４に対し、第１の方向Ａ１に直交する第２の方向Ａ２に差し込むようにして取り付けられる。
【００２１】
さらに図３−図６をも参照して、レセプタクルコネクタ１とプラグコネクタ２との関係について説明する。
【００２２】
図３及び図４はレセプタクルコネクタ１とプラグコネクタ２が異なる取付対象物１８，１９にそれぞれ実装されているが、両者は未嵌合である状態を示す。レセプタクルコネクタ１及びプラグコネクタ２の少なくとも一方を第２の方向Ａ２に動かして両者を嵌合させる。
【００２３】
図５及び図６に示すようにレセプタクルコネクタ１とプラグコネクタ２とが互いに嵌合すると、レセプタクル側ホールドダウン６のロック部１５がプラグ側ホールドダウン９の被ロック部１１に係合するとともに、結合部１６が接続部１２に接触する。こうして、レセプタクルコネクタ１とプラグコネクタ２とが機械的に結合されるとともに、レセプタクル側ホールドダウン６とプラグ側ホールドダウン９とが電気的に接続される。
【００２４】
ロック部１５と被ロック部１１との内の一方又は両方、即ち、少なくとも一方が弾性を有していることは、両者の係合や離脱の観点から好ましい。また結合部１６と接続部１２との内の一方又は両方，即ち、少なくとも一方が弾性を有していることは、両者の接触性の観点から好ましい。
【００２５】
上述したレセプタクルコネクタ１は、レセプタクル側ホールドダウン６を利用して、プラグコネクタ２に対するロック機能に加えて、電磁波のシールド機能をも備えることになる。その上、レセプタクル側インシュレータ４の壁部がレセプタクル側ホールドダウン６により補強されることになる。
【００２６】
なお、本発明が携帯機器に限らず他の様々な機器においても実施可能であることは言うまでもない。
【００２７】
【発明の効果】
以上説明したように、本発明によれば、ホールドダウンを利用してロック機能及びシールド機能を備えかつ補強も行ったホールドダウン付きコネクタを提供することができる。
【図面の簡単な説明】
【図１】本発明の実施の形態に係るコネクタとしてのレセプタクルコネクタをこれに接続可能なプラグコネクタともに示した未接続状態での斜視図である。
【図２】図１のレセプタクルコネクタの一部分解斜視図である。
【図３】図１のIII−III線に沿って得られた断面部分図である。
【図４】図１のIV−IV線に沿って得られた断面部分図である。
【図５】図１のレセプタクルコネクタとプラグコネクタとが接続された状態における、図３と同様な断面部分図である。
【図６】図１のレセプタクルコネクタとプラグコネクタとが接続された状態における、図４と同様な断面部分図である。
【符号の説明】
１  レセプタクルコネクタ
２  プラグコネクタ
３  凹部
４  レセプタクル側インシュレータ
５  レセプタクル側コンタクト
６  レセプタクル側ホールドダウン
７  プラグ側インシュレータ
８  プラグ側コンタクト
９  プラグ側ホールドダウン
１１  被ロック部
１２  接続部
１３  端子部
１４  連結部
１５  ロック部
１６  結合部
１７  切欠き
１８，１９  取付対象物
【図１】
0003677601.tif 000002
【図２】
0003677601.tif 000003
【図３】
0003677601.tif 000004
【図４】
0003677601.tif 000005
【図５】
0003677601.tif 000006
【図６】
0003677601.tif 000007